(57)【特許請求の範囲】
【請求項１】
洗浄槽と、食器等を収納する食器かごと、前記洗浄槽内の洗浄水を加圧する洗浄ポンプと、洗浄水を噴射する噴射孔を有したノズルと、複数個の洗浄プログラムを有する制御装置と、前記複数個の洗浄プログラムから実行する洗浄プログラムを選択するプログラムスイッチと、選択された洗浄プログラムに基いて前記洗浄ポンプを制御するポンプ制御手段と、洗浄水の加圧力を変化させる切換スイッチと、前記切換スイッチの操作により計時を開始するタイマーとを備え、前記ポンプ制御手段は、選択された洗浄プログラムの洗浄工程またはすすぎ工程の実行中に、前記切換スイッチの操作により、選択された洗浄プログラムで設定された洗浄水の加圧力より低くなるように変化させるとともに前記タイマーの計時を開始し、前記タイマーで設定された時間が経過すると前記ポンプ制御手段により選択された洗浄プログラムで設定された加圧力に戻して洗浄水を加圧するようにした食器洗浄機。
【発明の詳細な説明】
【０００１】
【発明の属する技術分野】
本発明は効率的に食器の洗浄を行う食器洗浄機に関するものである。
【０００２】
【従来の技術】
以下に従来の食器洗浄機について説明する。従来の食器洗浄機は図１４に示すように、食器７等を収納した食器かご８を所定の場所に収納した後、洗剤を投入して運転を開始するものである。
【０００３】
運転を開始するとともに、まず排水ポンプ１０が動作して、前回の運転等で洗浄槽１内に残っている洗浄水３（残水と呼ぶ）を機外へ排出する。そして、給水弁２が動作して洗浄水３を洗浄槽１に供給する。それから、洗浄ポンプ４が洗浄水３を加圧し、洗剤と共にノズル５に備えられた噴射孔６から洗浄水３を噴射する。こうして洗浄工程が行われる。この洗浄工程では洗浄槽１内に設けた発熱体９に通電して、洗浄水３を洗浄所定温度まで加熱する。
【０００４】
所定時間の洗浄工程を経ると、次に食器７等から洗い落とされた汚れを含む洗浄水３を排水ポンプ１０により機外へ排出する。引き続いて、新たに洗浄水３を供給してノズル５に備えられた噴射孔６から再び噴射して、洗剤や残菜（食器７等に汚れとして付着していた食品のことを残菜と呼ぶ）等で汚れた食器７等をすすぐ工程を実行する。このすすぎ工程を終えると、洗浄水３を再び機外へ排出する。このすすぎ工程は連続して数回繰り返される。なお洗浄及びすすぎ工程において、残菜は洗浄槽１に設けたフィルタ１１内に捕集される。所定回数のすすぎ工程が終了すると食器洗浄機の運転は終了するものである。
【０００５】
【発明が解決しようとする課題】
しかしながら、従来の構成の食器洗浄機では以下の問題を有している。従来の食器洗浄機において、図１５に示すように、制御装置１２には、食器洗浄機を通電状態にしたり非通電状態にする電源スイッチ１３、運転を開始したり一時停止したりするスタートスイッチ１４、洗浄プログラム１６を選択するプログラムスイッチ１５等がある。そして、使用者は電源スイッチ１３を押して食器洗浄機を通電状態にした後、プログラムスイッチ１５により食器７の汚れ程度に応じた洗浄プログラム１６を選択しスタートスイッチ１４を押して食器洗浄機の運転を開始するものである。
【０００６】
しかし、図１５に示すように、洗浄プログラム１６には、主に標準的な汚れ程度の食器７を洗浄する標準プログラム１７、食器７の汚れ程度が軽い場合に洗浄時間を短縮して洗浄するスピーディプログラム１８、食器７の汚れ程度がひどい場合に洗浄時間を延長して洗浄する念入りプログラム１９等があるが、いずれの洗浄プログラム１６も、洗浄ポンプ４が洗浄水３を加圧する加圧力は略一定であり、洗浄時間を短くしたり長くしたりして食器７の汚れ程度に適合させて洗浄を行うというものである。そのため、洗浄時間を延長して長時間洗浄を行うよりも噴射孔６から噴射される洗浄水３の洗浄水圧を高圧にして洗浄を行うことにより洗浄される汚物に対しては洗浄することができなかったり、洗浄水３を加圧する加圧力が略一定であるため食器洗浄機の運転騒音を低減して食器７の洗浄を行うことができないという問題があった。
【０００７】
本発明は前記問題点に鑑み、使用者が必要とする時間だけ食器洗浄機の運転騒音を低減することを目的とする。
【０００８】
【課題を解決するための手段】
本発明の食器洗浄機は、洗浄槽と、食器等を収納する食器かごと、前記洗浄槽内の洗浄水を加圧する洗浄ポンプと、洗浄水を噴射する噴射孔を有したノズルと、複数個の洗浄プログラムを有する制御装置と、前記複数個の洗浄プログラムから実行する洗浄プログラムを選択するプログラムスイッチと、選択された洗浄プログラムに基いて前記洗浄ポンプを制御するポンプ制御手段と、洗浄水の加圧力を変化させる切換スイッチと、前記切換スイッチの操作により計時を開始するタイマーとを備え、前記ポンプ制御手段は、選択された洗浄プログラムの洗浄工程またはすすぎ工程の実行中に、前記切換スイッチの操作により、選択された洗浄プログラムで設定された洗浄水の加圧力より低くなるように変化させるとともに前記タイマーの計時を開始し、前記タイマーで設定された時間が経過すると前記ポンプ制御手段により選択された洗浄プログラムで設定された加圧力に戻して洗浄水を加圧するようにしたものである。
【０００９】
この発明によれば、ポンプ制御手段により洗浄ポンプが洗浄水を加圧する加圧力を、選択された洗浄プログラムにおける洗浄水圧から低圧に変化させるので、洗浄水が食器等を洗浄することにより生じる洗浄騒音や電動機の運転騒音を低減することができるとともに、タイマーに設定した時間が経過した後は、自動的に再び選択された洗浄プログラムに準じた洗浄水圧で加圧し、食器等を洗浄することができる。
【００１０】
【発明の実施の形態】
本発明の請求項１に記載の発明は、洗浄槽と、食器等を収納する食器かごと、前記洗浄槽内の洗浄水を加圧する洗浄ポンプと、洗浄水を噴射する噴射孔を有したノズルと、複数個の洗浄プログラムを有する制御装置と、前記複数個の洗浄プログラムから実行する洗浄プログラムを選択するプログラムスイッチと、選択された洗浄プログラムに基いて前記洗浄ポンプを制御するポンプ制御手段と、洗浄水の加圧力を変化させる切換スイッチと、前記切換スイッチの操作により計時を開始するタイマーとを備え、前記ポンプ制御手段は、選択された洗浄プログラムの洗浄工程またはすすぎ工程の実行中に、前記切換スイッチの操作により、選択された洗浄プログラムで設定された洗浄水の加圧力より低くなるように変化させるとともに前記タイマーの計時を開始し、前記タイマーで設定された時間が経過すると前記ポンプ制御手段により選択された洗浄プログラムで設定された加圧力に戻して洗浄水を加圧するようにしたことにより、ポンプ制御手段により洗浄ポンプが洗浄水を加圧する加圧力を、選択された洗浄プログラムにおける洗浄水圧から低圧に変化させるので、洗浄水が食器等を洗浄することにより生じる洗浄騒音や電動機の運転による騒音を低減することができるとともに、タイマーに設定した時間が経過した後は、自動的に再び選択された洗浄プログラムに準じた洗浄水圧で加圧し、食器等を洗浄することができる。
【００１１】
【実施例】
（実施例１）
以下、本発明の第１の実施例について、図面を参照しながら説明する。図１において、４０は洗浄槽、４１は洗浄水４２を洗浄槽４０内に供給する給水弁、４３は洗浄ポンプ、４４は洗浄ポンプ４３を駆動する電動機で、電動機４４を駆動することにより洗浄ポンプ４３は洗浄水４２を加圧することができる。４５はノズル、４６はノズル４５に備えられた噴射孔で、洗浄ポンプ４３により洗浄水４２が加圧されてノズル４５に供給され噴射孔４６より洗浄槽４０内に噴射される。４７は食器４８等を洗浄槽４０内に収納する食器かご、４９は残菜等を捕集するフィルタ、５０は発熱体、５１は洗浄水４２を機外へ排出する排水ポンプである。
【００１２】
また、図２において、５２は制御装置で、食器洗浄機を通電状態にしたり非通電状態にしたりする電源スイッチ５３、運転を開始したり一時停止したりするスタートスイッチ５４、洗浄プログラム５６を選択するプログラムスイッチ５５を有している。そして、主な洗浄プログラム５６には、図３に示すように、標準的な汚れ程度の食器４８を洗浄する標準プログラム５７、食器４８の汚れ程度が軽い場合に洗浄時間を短縮したりすすぎ回数を減らしたりして洗浄するスピーディプログラム５８、食器４８の汚れ程度がひどい場合に洗浄時間を延長して洗浄する念入りプログラム５９等複数個存在し、食器洗浄機の運転開始後もプログラムスイッチ５５を押すことによりこれらの洗浄プログラム５６を任意に切り換えることができるものである。
【００１３】
前記構成において以下にその動作について説明する。洗浄槽４０内に所定量の洗剤を投入し、食器４８等を食器かご４７に収納する。食器４８等を収納後、電源スイッチ５３を押して食器洗浄機を通電状態にし、プログラムスイッチ５５を押して食器４８の汚れに応じた洗浄プログラム５６を選択する。そしてスタートスイッチ５４を押して運転を開始する。運転が開始するとまず排水ポンプ５１が動作して洗浄槽４０内に残っている残水を機外へ排出する。そして、給水弁４１に通電することで洗浄水４２が供給される。洗浄水４２が所定量に達すると、電動機４４により洗浄ポンプ４３が駆動して洗浄水４２を加圧する。加圧された洗浄水４２はノズル４５に供給され、ノズル４５に備えられた噴射孔４６から噴射される。そして、洗浄水４２は洗浄槽４０及び食器４８等に供給される。
【００１４】
こうして食器４８等を洗浄する洗浄工程が行われる。この洗浄工程では、発熱体５０に通電することにより洗浄水４２は洗浄所定温度まで加熱される。所定時間の洗浄工程を経ると、排水ポンプ５１が動作し、食器４８等から洗い落とされた汚物等を含む洗浄水４２を機外へ排出する排水工程が行われる。そして、新たに洗浄水４２を供給し、ノズル４５に備えられた噴射孔４６から洗浄水４２を噴射することで洗剤や残菜等で汚れた食器４８等をすすぐ工程を行う。この工程終了後再び洗浄水４２を機外へ排出する。
【００１５】
そして、このすすぎ工程が連続して数回繰り返されてすすぎ工程が終了する。残菜は洗浄槽４０に設けたフィルタ４９内に捕集される。すすぎ工程終了後、食器洗浄機の運転を終了する。
【００１６】
このように構成された本発明の第１の実施例によれば、食器洗浄機を使用する場合において、使用者は洗浄槽４０内に所定量の洗剤を投入した後、電源スイッチ５３を押して食器洗浄機を通電状態にし、プログラムスイッチ５５を押して食器４８の汚れに応じた洗浄プログラム５６を選択する。そしてスタートスイッチ５４を押して運転を開始するが、標準的な汚れ程度の食器４８に対してスピーディプログラム５８を選択して食器洗浄機の運転を開始してしまった場合や、軽い汚れ程度の食器４８に対して念入りプログラム５９を選択して運転を開始してしまった場合等、食器４８の汚れ程度に適合しない洗浄プログラム５６を使用者が誤って選択して運転を開始してしまった場合には、使用者は食器洗浄機の運転が動作中でもプログラムスイッチ５５を押すことにより食器４８の汚れ程度に適合した洗浄プログラム５６に変更することができる。そのため、使用者は従来の食器洗浄機のように、電源スイッチ５３を押して食器洗浄機を非通電状態にして食器洗浄機の運転を中止し、再び洗剤を投入して電源スイッチ５３、プログラムスイッチ５５、スタートスイッチ５４を押して食器洗浄機の運転を開始するという煩わしい作業を行うことなく、運転が動作中でもプログラムスイッチ５５を押すだけで洗浄プログラム５６を変更することができる。
【００１７】
また、最初に供給された洗浄水４２や洗剤を排水ポンプ５１により機外へ排出して新たに洗浄水４２や洗剤を供給することがないので、最初に供給された洗浄水４２や洗剤を食器４８の洗浄に有効に利用することができる。従って、食器洗浄機の運転中でも使用者が煩わしさを感じることなく洗浄プログラム５６を任意に切り換えることができ、洗浄水４２や洗剤を有効に使用することができる。
【００１８】
なお、食器洗浄機は、次回の運転時には、前回の運転で最終的に選択された洗浄プログラム５６を記憶し、そのプログラムに従って運転を行うものである。
【００１９】
（実施例２）
全体の構成は第１の実施例と同様であるので説明を省略する。ただし、図４において、６０は電動機４４を制御するポンプ制御手段で、ポンプ制御手段６０が電動機４４を制御することにより、洗浄ポンプ４３は洗浄水４２を加圧する加圧力を変化させることができる。また、図５に示すように、主な洗浄プログラム５６として標準プログラム５７、スピーディプログラム５８、念入りプログラム５９の他に強力プログラム６１、静音プログラム６２が備えられている。そして、図６に示すように、強力プログラム６１はポンプ制御手段６０が電動機４４を制御することにより洗浄ポンプ４３が洗浄水４２を加圧する加圧力を標準プログラム５７、スピーディプログラム５８、念入りプログラム５９よりも高くして食器４８を洗浄するものであり、静音プログラム６２は洗浄ポンプ４３が洗浄水４２を加圧する加圧力を標準プログラム５７、スピーディプログラム５８、念入りプログラム５９よりも低くして食器４８を洗浄するものである。
【００２０】
さらに、静音プログラム６２は他の洗浄プログラム５６よりも洗浄時間を長くしたり、すすぎ回数を増やしたりして洗浄を行うものである。また、第１の実施例と同様に、食器洗浄機の運転開始後も使用者はこれらの洗浄プログラム５６を任意に切り換えることができるものである。それから、強力プログラム６１は標準プログラム５７、スピーディプログラム５８、念入りプログラム５９よりも洗浄水４２の給水量を多くして食器４８等を洗浄するものであり、静音プログラム６２は給水量を少なくして洗浄を行うものである。
【００２１】
このように構成された本発明の第２の実施例によれば、強力プログラム６１において、ポンプ制御手段６０が電動機４４を制御することにより、洗浄ポンプ４３は洗浄水４２を加圧する加圧力を高くすることができるので、洗浄時間を延長して長時間洗浄を行う念入りプログラム５９では洗浄することができない強固な汚れに対して高圧の洗浄水４２を供給し洗浄することができ、食器４８の洗浄性能を向上させることができる。
【００２２】
また、静音プログラム６２において、ポンプ制御手段６０の制御により洗浄ポンプ４３は洗浄水４２を加圧する加圧力を低くすることができるので、洗浄水４２が食器４８や洗浄槽４０に衝突することにより生じる洗浄騒音や電動機４４から生じる騒音を低減することができる。従って、食器洗浄機の運転騒音を低減して食器４８の洗浄を行うことができる。
【００２３】
さらに、食器洗浄機の運転開始後も使用者はプログラムスイッチ５５により洗浄プログラム５６を任意に切り換えることができるので、運転開始時は運転騒音が高くても強力に食器４８を洗浄し、途中から運転騒音を低くして洗浄したい場合や、逆に運転開始時は運転騒音を低くして洗浄し、途中から運転騒音を気にせずに早く食器４８を洗浄したい場合等、使用者の使用環境や要求に応じて洗浄プログラム５６を切り換えることができる。
【００２４】
以上より、洗浄プログラム５６は食器４８の汚れ程度により適合して洗浄することができ、且つ使用者の使用環境や要求に応じて運転プログラムを切り換えることができる。
【００２５】
なお、スピーディプログラム５８は洗浄水４２の加圧力を強力プログラム６１と同様に高圧にし、且つ洗浄時間をより短縮して食器４８を洗浄するようにしてもよい。
【００２６】
また、運転開始後、洗浄プログラム５６を切り換える場合は、新たに選択された洗浄プログラム５６の運転工程のうち最初の洗浄水４２を排水する工程を除いた部分から行うものであってもよいし、切り換えられた時点での工程から新たに選択された洗浄プログラム５６に順じた洗浄手段を行うものであってもよい。
【００２７】
また、洗浄水４２の給水量は、標準プログラム５７、スピーディプログラム５８、念入りプログラム５９及び静音プログラム６２とも強力プログラム６１と略同水量であってもよいし、静音プログラム６２は標準プログラム５７、スピーディプログラム５８及び念入りプログラム５９と略同水量であってもよい。
【００２８】
（実施例３）
全体の構成は第１の実施例と同様であるので説明を省略する。ただし、図７、図８において、６３は切換スイッチで、ポンプ制御手段６０と連動して洗浄ポンプ４３を制御するものである。そして、洗浄またはすすぎ工程において切換スイッチ６３を押すことにより、ポンプ制御手段６０の制御により洗浄ポンプ４３が洗浄水４２を加圧する加圧力を高圧から低圧に、または低圧から高圧に変化させることができる。
【００２９】
このように構成された本発明の第３の実施例によれば、食器洗浄機は標準プログラム５７、スピーディプログラム５８、念入りプログラム５９または強力プログラム６１のうち選択された洗浄プログラム５６に従って食器４８等の洗浄を行うが、洗浄またはすすぎ工程において、使用者がテレビを見たり家族や知人等と会話をしたり電話で会話をしたりする等の場合に、食器洗浄機から生じる運転騒音が大きいと感じる時に、使用者が切換スイッチ６３を押すことにより、図９に示すように、ポンプ制御手段６０により洗浄ポンプ４３が洗浄水４２を加圧する加圧力を選択された洗浄プログラム５６における洗浄水圧から低圧に変化させるので、洗浄水４２が食器４８等を洗浄することにより生じる洗浄騒音や電動機４４の運転による騒音を低減することができる。
【００３０】
また、使用者がテレビを見終わったり家族や知人または電話等の会話を終了して食器洗浄機からの運転騒音を意識しない場合には、使用者が再び切換スイッチ６３を押すことにより、洗浄ポンプ４３は洗浄水４２を加圧する加圧力を低圧から選択された洗浄プログラム５６における洗浄水圧に変化させるので、再び選択された洗浄プログラム５６に順じた洗浄手段で食器４８等を洗浄することができる。
【００３１】
従って、使用者が食器洗浄機の運転騒音を意識する場合は切換スイッチ６３を押すことにより食器洗浄機の運転騒音を低減することができ、また、運転騒音を意識しなくなった場合は再び切換スイッチ６３を押すことにより、選択された洗浄プログラム５６に順じた洗浄手段で食器４８等を洗浄することができるので、使用者が必要とする時間だけ一時的に食器洗浄機の運転騒音を低減することができる。
【００３２】
なお、切換スイッチ６３は、使用者が洗浄水４２を加圧する加圧力を任意に切り換えることができるものであってもよい。
【００３３】
（実施例４）
全体の構成は第１の実施例と同様であるので説明を省略する。ただし、図１０において、６４は時間を任意に設定することができるタイマーで、切換スイッチ６３が押されるとポンプ制御手段６０により洗浄ポンプ４３が洗浄水４２を加圧する加圧力を低圧にするとともにタイマー６４は動作する。そして、タイマー６４に設定された時間が経過するとタイマー６４はポンプ制御手段６０に信号を送り、その信号に基づいてポンプ制御手段６０により洗浄ポンプ４３は選択された洗浄プログラム５６に従って洗浄水４２を加圧し、食器４８を洗浄するように構成されている。
【００３４】
このように構成された本発明の第４の実施例によれば、食器洗浄機は選択された洗浄プログラム５６に従って食器４８等の洗浄を行うが、洗浄またはすすぎ工程において、食器洗浄機から生じる運転騒音が大きいと感じる時に、使用者は必要とする時間をタイマー６４に設定し切換スイッチ６３を押すことにより、ポンプ制御手段６０により洗浄ポンプ４３は洗浄水４２を加圧する加圧力を選択された洗浄プログラム５６における洗浄水圧から低圧に変化させる。そのため、洗浄水４２が食器４８等を洗浄することにより生じる洗浄騒音や電動機４４の運転による騒音を低減することができる。またこのとき、同時にタイマー６４が動作する。
【００３５】
そして、設定した時間が経過すると、タイマー６４はポンプ制御手段６０に信号を送り、その信号に基づいてポンプ制御手段６０により洗浄ポンプ４３が選択された洗浄プログラム５６に従った加圧力で洗浄水４２を再び加圧し、食器４８を洗浄する。従って、使用者が食器洗浄機の運転騒音を意識する場合はタイマー６４に必要とする時間を設定し切換スイッチ６３を押すことにより、設定した時間だけ食器洗浄機の運転騒音を低減することができ、タイマー６４に設定した時間が経過した後は自動的に再び選択された洗浄プログラム５６に順じた洗浄手段で洗浄水４２を加圧し、食器４８等を洗浄することができるので、煩わしさを低減し、且つ使用者が必要とする時間だけ一時的に食器洗浄機の運転騒音を低減することができる。
【００３６】
（実施例５）
全体の構成は第１の実施例と同様であるので説明を省略する。ただし、図１１において、６５は人体検知手段で、食器洗浄機の周辺に人がいるかどうかを検知することができるものである。また、人体検知手段６５はポンプ制御手段６０と連動して洗浄ポンプ４３を制御するものである。
【００３７】
このように構成された本発明の第５の実施例によれば、標準プログラム５７、スピーディプログラム５８、念入りプログラム５９または強力プログラム６１において、食器洗浄機は選択された洗浄プログラム５６に従って食器４８等の洗浄を行うが、食器４８の洗浄中に、使用者が食器洗浄機の周辺にいたり食器洗浄機に近寄ってきた場合は、人体検知手段６５が食器洗浄機の周辺に人が存在すると検知する。そして、図１２に示すように、ポンプ制御手段６０により洗浄ポンプ４３が洗浄水４２を加圧する加圧力を選択された洗浄プログラム５６における洗浄水圧から低圧に変化させるので、洗浄水４２が食器４８等を洗浄する洗浄騒音や電動機４４の運転による騒音を低減することができる。
【００３８】
また、使用者が食器洗浄機から遠ざかったり食器洗浄機の周辺にいない場合は、人体検知手段６５が食器洗浄機の周辺に人が存在しないと検知する。そして、ポンプ制御手段６０により洗浄ポンプ４３は洗浄水４２を加圧する加圧力を低圧から選択された洗浄プログラム５６における洗浄水圧に変化させるので、再び選択された洗浄洗浄プログラム５６に順じた洗浄手段で食器４８等を洗浄することができる。従って、使用者が食器洗浄機の周辺にいる場合は洗浄水４２の洗浄水圧を低圧にすることにより食器洗浄機の運転騒音を低減して食器４８を洗浄し、食器洗浄機の周辺にいない場合は洗浄水４２の洗浄水圧を選択された洗浄プログラム５６に順じた圧力にして食器４９等を洗浄する。それゆえ、食器洗浄機周辺の状況に応じて自動的に食器洗浄機の運転騒音を低減することができ、運転騒音により食器洗浄機が使用者に与える不快感を低減することができる。
【００３９】
（実施例６）
全体の構成は第１の実施例と同様であるので説明を省略する。ただし、強力プログラム６１において、給水弁４１より供給される洗浄水４２の供給量は標準プログラム５７、スピーディプログラム５８、念入りプログラム５９と略同水量であるものである。また、図１３に示すように、洗浄ポンプ４３は標準プログラム５７、スピーディプログラム５８、念入りプログラム５９における洗浄水圧と強力プログラム６１における洗浄水圧を周期的に変化させながら洗浄水４２を加圧するものである。
【００４０】
このように構成された本発明の第５の実施例によれば、強力プログラム６１において、洗浄ポンプ４３は洗浄水４２を強力プログラム６１における洗浄水圧で加圧するが、このとき、洗浄水４２の給水量は強力プログラム６１に適した水量ではなく標準プログラム５７、スピーディプログラム５８、念入りプログラム５９と略同水量であり洗浄水４２の水量が少ないため、洗浄ポンプ４３には空気が混入しようとする。洗浄ポンプ４３に空気が混入すると洗浄ポンプ４３は洗浄水４２を所定の加圧力で加圧できない状態（この状態をエアがみ状態という）に陥るが、図１３に示すように、空気が洗浄ポンプ４３に混入しようとする前に洗浄水４２を給水量に適した加圧力で加圧することにより、洗浄ポンプ４３に空気が混入することを防止することができ、洗浄ポンプ４３は洗浄水４２を給水量に適した加圧力で加圧することができる。
【００４１】
そして、図１３に示すように、洗浄水４２を加圧する加圧力を、給水量に適した加圧力から一時的に強力プログラム６１における加圧力にし、洗浄ポンプ４３がエアがみする前に再び給水量に適した加圧力にするという動作を繰り返すことにより、洗浄ポンプ４３をエアがみ状態にすることなく、且つ食器４８や汚物等に標準プログラム５７、スピーディプログラム５８、念入りプログラム５９よりも高圧の洗浄水４２や多くの洗浄エネルギーを供給することができる。また、食器４８や汚物等に対して弱水流や強水流を交互に供給することができるので、汚物等に強弱の変化のある洗浄エネルギーを与えることができ、効率的に洗浄することができる。従って、強力プログラム６１において、洗浄水４２の給水量を増やすことなく、標準プログラム５７、スピーディプログラム５８、念入りプログラム５９よりもより強力に食器４８や汚物等を洗浄することができる。
【００４２】
【発明の効果】
以上のように本発明の請求項１に記載の発明によれば、洗浄槽と、食器等を収納する食器かごと、前記洗浄槽内の洗浄水を加圧する洗浄ポンプと、洗浄水を噴射する噴射孔を有したノズルと、複数個の洗浄プログラムを有する制御装置と、前記複数個の洗浄プログラムから実行する洗浄プログラムを選択するプログラムスイッチと、選択された洗浄プログラムに基いて前記洗浄ポンプを制御するポンプ制御手段と、洗浄水の加圧力を変化させる切換スイッチと、前記切換スイッチの操作により計時を開始するタイマーとを備え、前記ポンプ制御手段は、選択された洗浄プログラムの洗浄工程またはすすぎ工程の実行中に、前記切換スイッチの操作により、選択された洗浄プログラムで設定された洗浄水の加圧力より低くなるように変化させるとともに前記タイマーの計時を開始し、前記タイマーで設定された時間が経過すると前記ポンプ制御手段により選択された洗浄プログラムで設定された加圧力に戻して洗浄水を加圧するようにしたから、選択された洗浄プログラムを変更することなく使用者が必要とする時間だけ一時的に食器洗浄機の運転騒音を低減することができるとともに、タイマーに設定した時間が経過した後は自動的に再び選択された洗浄プログラムで食器等を洗浄することができる。
【図面の簡単な説明】
【図１】  本発明の実施例１における食器洗浄機の構成図
【図２】  同食器洗浄機の制御装置の拡大図
【図３】  同食器洗浄機の各洗浄プログラムにおける洗浄水温度の変化を表す図
【図４】  本発明の実施例２における食器洗浄機の構成図
【図５】  同食器洗浄機の制御装置の拡大図
【図６】  同食器洗浄機の各洗浄プログラムにおける洗浄水の洗浄水圧の関係を表す図
【図７】  本発明の実施例３における食器洗浄機の構成図
【図８】  同食器洗浄機の制御装置の拡大図
【図９】  同食器洗浄機の切換スイッチを使用した場合における洗浄水の洗浄水圧の変化を表す図
【図１０】  本発明の実施例４における食器洗浄機の制御装置の拡大図
【図１１】  本発明の実施例５における食器洗浄機の構成図
【図１２】  同食器洗浄機の人体検知手段が動作した場合における洗浄水の洗浄水圧の変化を表す図
【図１３】  本発明の実施例６における食器洗浄機の強力プログラムにおける洗浄水の洗浄水圧の変化を表す図
【図１４】  従来の食器洗浄機の構成図
【図１５】  従来の食器洗浄機の制御装置の拡大図
【符号の説明】
４０  洗浄槽
４２  洗浄水
４３  洗浄ポンプ
４４  電動機
４５  ノズル
４６  噴射孔
４７  食器かご
５１  排水ポンプ
５２  制御装置
５６  洗浄プログラム
６０  ポンプ制御手段
６３  切換スイッチ
６４  タイマー
６５  人体検知手段
【図１】
0004259643.tif 000002
【図２】
0004259643.tif 000003
【図３】
0004259643.tif 000004
【図４】
0004259643.tif 000005
【図５】
0004259643.tif 000006
【図６】
0004259643.tif 000007
【図７】
0004259643.tif 000008
【図８】
0004259643.tif 000009
【図９】
0004259643.tif 000010
【図１０】
0004259643.tif 000011
【図１１】
0004259643.tif 000012
【図１２】
0004259643.tif 000013
【図１３】
0004259643.tif 000014
【図１４】
0004259643.tif 000015
【図１５】
0004259643.tif 000016